(57)【要約】【課題】内装面に孔を形成せず、吸音効果を備えることのできる内装面の吸音構造を提供する。【解決手段】略矩形状の化粧面３ａを有するパネル部材３を、化粧面３ａが内装面となるように目地間隙を置いて並行に配設し、該目地間隙の裏面側に目地間隙４を閉塞するように吸音材５を配設した構成を有する内装面構造１とした。【選択図】図１
2007120224.tif 000002
【特許請求の範囲】
【請求項１】
略矩形状の化粧面を有するパネル部材を、化粧面が内装面となるように目地間隙を置いて並行に配設し、該目地間隙の裏面側に目地間隙を閉塞するように吸音材を配設した構成を有する内装面構造。
【請求項２】
パネル部材を、化粧面の両長手端部に裏面側に折曲した側面部を形成した構成とし、側面部の先端部と、該側面部と目地間隙を挟んで対面する隣接パネル部材の側面部の先端部とに当接するように吸音材を配設してある請求項１に記載の内装面構造。
【請求項３】
パネル部材を、躯体側に固定した固定部材に対して開閉可能に取り付けた構成を有する請求項１又は２に記載の内装面構造。
【請求項４】
パネル部材を、両側面部の内寄りに裏面側に突設した係合面部を有する構成としてあり、一方の係合面部を固定部材の一端部側に回動可能に連結し、他方の係合面部を固定部材の他端部側に取り外し係止可能としてある請求項３に記載の内装面構造。
【発明の詳細な説明】
【技術分野】
【０００１】
本発明は、吸音効果を備えた建築物の天井面、壁面などの内装面構造に関する。
【背景技術】
【０００２】
従来、内装面の吸音構造としては、多孔板からなる方形の底壁を有し、この裏面側に吸音材を敷設してある遮音板を、天井側から吊支した格子状の支持フレームに配設し、底壁を内装面として構成した遮音天井が開示されている（下記特許文献１参照）。
【０００３】
【特許文献１】特開２００４−３１６３６８号公報
【発明の開示】
【発明が解決しようとする課題】
【０００４】
上記のように、従来の内装面の吸音構造は、音を吸収するために内装面に多数の孔が形成してあるものである。しかし、内装面の美観を考慮し、木目調などの模様を内装面に形成したい場合、孔を形成すると美観を損ねるため、孔を形成しない方が好ましいが、孔を形成しないと吸音効果を備えることができない。このため、美観と吸音効果とを共に備えた内装面を形成することができないという問題が生じていた。
そこで、本発明は、上記課題に鑑み、内装面に孔を形成しなくとも、吸音効果を備えることのできる内装面構造を提供せんとするものである。
【課題を解決するための手段】
【０００５】
本発明の内装面構造は、略矩形状の化粧面を有するパネル部材を、化粧面が内装面となるように目地間隙を置いて並行に配設し、該目地間隙の裏面側に目地間隙を閉塞するように吸音材を配設した構成を有することを特徴とする。
このようにすることにより、内装面となる化粧面に孔を形成することなく木目調の模様などを施すことができ、また、パネル部材間の間隙に吸音材を備えてあるので吸音効果も有するものとすることができる。
【０００６】
上記パネル部材を、化粧面の両長手端部に裏面側に折曲した側面部を形成した構成とし、側面部の先端部と、該側面部と間隙を挟んで対面する隣接パネル部材の側面部の先端部とに当接するように吸音材を配設することもできる。
このようにすることにより、パネル部材と吸音材との間に隙間をなくすことができるため、音の漏えいがより一層なくなり、また、吸音材は奥方に位置することになるので表面側からは視認しにくく、美観をよくすることができる。
【０００７】
また、上記パネル部材を、躯体側に固定した固定部材に対して開閉可能に取り付けた構成とするのが好ましく、これにより、固定部材を躯体側に固定した後、パネル部材を取り付けることができ、作業性が向上する。
【０００８】
この際、パネル部材を、両側面部の内寄りに裏面側に突設した係合面部を有する構成としてあり、一方の係合面部を固定部材の一端部側に回動可能に連結し、他方の係合面部を固定部材の他端部側に取り外し係止可能とするのがよい。
【発明を実施するための最良の形態】
【０００９】
以下、本発明の好適な実施形態を図面を用いて説明する。なお、以下の実施形態は内装面として天井面を形成する場合を示しているが、本発明は、これに限定するものではなく、壁面などを形成することも可能である。
図１は本発明の一実施形態の内装面構造を用いて天井面を形成した場合を示した側断面図、図２は図１の内装面構造を上方から俯瞰した概略分解斜視図、図３〜５はパネル部材を固定部材に取り付ける状態を示した側断面図、図６，７はパネル部材と固定部材とをピンで固定した状態を示した側面図である。
【００１０】
本実施形態の内装面構造１は、図１に示すように、適宜間隔で躯体側に固定した固定部材２に、略矩形長尺状の化粧面３ａを有するパネル部材３を、化粧面３ａが内装面となり、かつ隣接パネル部材３，３間に適度な目地間隙４が形成されるように並行して取り付け、各パネル部材３間の目地間隙４を吸音材５で閉塞してあるものである。
【００１１】
固定部材２は、躯体側に固定してパネル部材３を取り付けできるようにしたピース部材であり、図１〜３に示すように、略矩形の固定面２ａの両短手端部を表面側（図１では下側）に垂直折曲した側面部２ｂａ，２ｂｂを形成してあり、一側面部２ｂａは、他側面部２ｂｂよりも表面側に突出するように形成し、その先端部には回転係止部２ｃが形成してある。回転係止部２ｃは、側面部２ｂａの先端部を外側に垂直折曲し、さらに先端部を裏面側（図１では上側）に折り返し、その先端部を内側に膨出した湾曲状に形成してあり、後述するパネル部材３の回転係合部３ｄが回動可能に係合できるようにしてある。
側面部２ｂｂの先端部には、端部沿いに外側に若干膨出させた係止部２ｄが形成してあり、後述するパネル部材３の係合部３ｅが係合できるようにしてある。また、側面部２ｂｂの略中央には、円孔２ｅが穿設してある。
固定面２ａの略中央には、円孔２ｆが穿設してあり、ボルト等の締結部材を挿通して躯体側に設けたフレーム材６などに固定できるようにしてある。
【００１２】
パネル部材３は、内装表面側を構成するものであり、図１〜３に示すように、略矩形長尺状で、固定部材２の両側幅よりは幅広の化粧面３ａを有し、その両長手端部を裏面側に垂直折曲した略同一高さの側面部３ｂａ，３ｂｂを形成してあり、パネル部材３を内装面として配設した際、側面部３ｂａの先端部と、隣接パネル部材３の側面部３ｂｂの先端部とで吸音材５を支持できるようにしてある。化粧面３ａには、木目調の模様など様々な模様や色彩を施すことができる。両側面部３ｂａ，３ｂｂの内寄りには、側面部３ｂａ，３ｂｂと並行し、側面部３ｂａ，３ｂｂよりも裏面側に突出した係合面部３ｃａ，３ｃｂが、固定部材２の回転係止部２ｃと側面部２ｂｂの外側に係合するように形成してある。一方の係合面部３ｃａの先端部には、長手方向沿いに内側に開口した断面略Ｃ状の回転係合部３ｄが形成してあり、他方の係合面部３ｃｂは、係合面部３ｃａよりも裏面側に突出するように形成してあり、内側面の中間付近には長手方向沿いに若干膨出した係合部３ｅが形成してある。係合面部３ｃａの先端部は、外方に傾斜した係合解除部３ｇとしてあり、パネル部材３を固定部材２から取り外ししやすいようにしてある。係合面部３ｃｂには、長手方向に適宜間隔で円孔３ｆが穿設してあり、この円孔３ｆと固定部材２の円孔２ｅとにピン８等を挿通して、固定部材２からパネル部材３が脱落しないように固定することができる。
ピン８は、両円孔２ｅ，３ｆに挿通できる軸形状のものでよく、例えば、図７に示すように、線材の両端部を反対方向に垂直折曲し、一端部側を両円孔２ｅ，３ｆに挿通する軸部８ａとし、他端部側の先端部を円形平板状に形成した摘み部８ｂとしたものなどを用いることができる。
【００１３】
吸音材５は、ガラスウールやロックウールなどの音を吸収することのできる素材で形成してあり、目地間隙４よりも幅広とした断面略矩形長尺状とし、目地間隙４を閉塞できるようにしてある。吸音材５の形状は、上記に限定するものではなく、目地間隙４の裏面側、或いは、間隙内に配設でき、目地間隙４を閉塞できるものであればよい。また、吸音材５の一面に塗装した有孔金属板などの板材を貼付し、この板材が表面側を向くように配設して意匠性を高めてもよい。
【００１４】
以下、上記実施形態の内装面構造１の組立方法を示す。
建築物の天井面側に並行に配設した複数の長尺状のフレーム材６にブラッケト７を介して固定部材２を適宜間隔で配設する。この際、側面部２ｂａと隣接固定部材２の側面部２ｂｂとは対面するように固定する。また、この目地間隔は、特に限定するものではないが、パネル部材３を固定部材２に取り付けた際、目地間隙４に、指先が挿入することができる幅以上の間隔とするのが好ましい。
次に、フレーム材６と直交するように各パネル部材３を、固定部材２に取り付ける。この際、パネル部材３を、図３に示すように、側面部３ｂａ側が上方になるように傾斜させつつ、パネル部材３の一端部側を固定部材２の間隙に挿入し、図４に示すように、若干引き戻して回転係止部２ｃの先端部を回転係合部３ｄの開口に挿入して枢着する。次いで、パネル部材３を、回転係合部３ｄを回転軸として回転させ、図５に示すように、パネル部材３の他端部側を押圧して係合部３ｅを係止部２ｄに係合させることにより、パネル部材３を固定部材２に開閉可能に取り付けることができる。
【００１５】
さらに、ピン８の軸部８ａを、図６の実線で示すように、パネル部材３の円孔３ｆと固定部材２の円孔２ｅとに挿入してから、ピン８の摘み部８ｂを、図６の点線で示すように、側面部３ｂｂと側面部３ｃｂとの間隙に納まるように回転移動させ、図７に示すように、固定部材２とパネル部材３とを固定することができる。
【００１６】
吸音材５は、指先等で幅方向に圧縮し、化粧面３ａ側から目地間隙４に挿入し、側面部３ｂａ，３ｂｂの上方付近で開放し、吸音材５を、側面部３ｂａ，３ｂｂの先端部に当接するように載置する。これにより、目地間隙４を吸音材で閉塞でき、図１に示すような内装面構造１とすることができる。
吸音材５は、固定部材２或いはパネル部材３の適宜位置に部分的に接着して予め装着してもよく、吸音材５に板材などを貼付した場合は、目地間隙４から挿入しにくいので、このようにするのが好ましい。
また、天井面を形成する場合は、吸音材５を側面部３ｂａ，３ｂｂの先端部に載置するのみでもよいが、壁面などを形成する場合などは、吸音材５が脱落しないよう接着しておくのが好ましい。
【００１７】
パネル部材３を取り外す際は、目地間隙４から吸音材５を圧縮しつつ指先などを挿入してピン８の摘み部８ｂを引っ掛け、ピン８を回転させながら側面部３ｂｂと係合面部３ｃｂとの間隙から摘み部８ｂを、摘み出す。ピン８を側方に引いて、軸部８ａを円孔２ｅ，３ｆから引き抜き、ピン８をパネル部材３から外す。次に、図８（Ａ）に示すように、棒材の先端部を折曲して解除部９ａとした解除棒９を、目地間隙４から挿入し、図８（Ｂ）に示すように、解除部９ａの先端部を、係合解除部３ｇと固定部材２の側面部２ｂｂとの間に引っ掛け、この状態で、解除棒９を下方に引くことにより、側面部２ｂｂと係合面部３ｃｂとが拡開し、係止部２ｄと係合部３ｅとの係合が解除され、パネル部材３は、回転係合部３ｄを回転軸として回転移動する。パネル部材３を、回転係合部３ｄが回転係止部２ｃから外れるように斜め上方に移動させて、パネル部材３を固定部材２から取り外し、天井裏のメンテナンスをすることができる。
【００１８】
上記のとおり、本発明の内装面の吸音構造は、化粧面に孔を形成することなく木目調の模様などを形成することができるため、内装面に美観を持たせることができ、また、パネル部材間の間隙に吸音材を備えているので音を吸収することができ、吸音効果も有する内装面とすることができる。
また、パネル部材を固定部材に開閉可能に取り付けることにより、取り付け作業が容易となり、作業性が向上するものである。
【図面の簡単な説明】
【００１９】
【図１】本発明の一実施形態の内装面構造を用いて天井面を形成した場合を示した側断面図である。
【図２】図１の内装面構造を上方から俯瞰した概略分解斜視図である。
【図３】パネル部材を固定部材に取り付ける前の状態を示した側断面図である。
【図４】パネル部材の回転係合部を固定部材の回転係止部に係合した状態を示した側断面図である。
【図５】パネル部材を固定部材に取り付けた状態を示した側断面図である。
【図６】パネル部材と固定部材とをピンで固定する方法を示した側面図である。
【図７】パネル部材と固定部材とをピンで固定した状態を示した側面図である。
【図８】パネル部材を固定部材から取り外す方法を示した側断面図であり、（Ａ）は解除棒を目地間隙に挿入する前、（Ｂ）は目地間隙に挿入した後を示す。
【符号の説明】
【００２０】
１…内装面構造  ２…固定部材  ２ａ…固定面  ２ｂａ，２ｂｂ…側面部
２ｃ…回転係止部  ２ｄ…係止部  ２ｅ…円孔  ２ｆ…円孔  ３…パネル部材
３ａ…化粧面  ３ｂａ，３ｂｂ…側面部  ３ｃａ，３ｃｂ…係合面部  ３ｄ…回転係合部３ｅ…係合部  ３ｆ…円孔  ３ｇ…係合解除部  ４…目地間隙  ５…吸音材
６…フレーム材  ７…ブラケット  ８…ピン  ８ａ…軸部  ８ｂ…摘み部  ９…解除棒
９ａ…解除部
【図１】
2007120224.tif 000003
【図２】
2007120224.tif 000004
【図３】
2007120224.tif 000005
【図４】
2007120224.tif 000006
【図５】
2007120224.tif 000007
【図６】
2007120224.tif 000008
【図７】
2007120224.tif 000009
【図８】
2007120224.tif 000010